(57)【要約】【課題】折りたたみ可能なディスプレイ装置【解決手段】本発明は、互いに平行に配置され、互いに移動可能に接続されたいくつかのパネルから構成される、折りたたみ可能なディスプレイ装置に関する。局部的に固定されるディスプレイ装置を作製するために、ディスプレイ装置は単に折りたたみ可能に構成されるだけではなく、加えて折りたたまれた状態でディスプレイ装置を収容するハウジング装置が設けられている。
2012530268.tif 000002
【特許請求の範囲】
【請求項１】
折りたたみ可能なディスプレイ装置（１）であって、
互いに平行に配置され、互いに移動可能に接続されたいくつかのパネル（２，３，４）から構成され、
接続要素（３０）は、全体として経本折りで形成されるように配置され、
折りたたまれた状態（５）の該ディスプレイ装置（１）を完全に収容するハウジング装置（９）が設けられていることを特徴とするディスプレイ装置。
【請求項２】
該ディスプレイ装置（１）は、
スタンド（６）上に配置され、
中央のパネル（３）が前記スタンド（６）に接続された、奇数個のパネル（２，３，４）が設けられていることを特徴とする、請求項１に記載のディスプレイ装置。
【請求項３】
前記ハウジング装置（９）内のスタンド（６）は、
一方では前記ハウジング装置（９）の縦方向にスライドすることが可能に配置され、他方では前記中央のパネル（３）の縦軸を中心に回転可能に設けられており、
両方の動きのために、それぞれについて１つの駆動素子（２８，１２）が設けられていることを特徴とする請求項２に記載のディスプレイ装置。
【請求項４】
パネル（２，３，４）の上部および下部にヒンジ（３０）が接続素子として設けられ、
前記ヒンジは、２つのパネル（２，３，４）を互いに移動可能に接続し、
少なくとも１つのヒンジ（３０）において、駆動素子に設けられていることを特徴とする、請求項３に記載のディスプレイ装置。
【請求項５】
駆動ヒンジ（３０）は２つのヒンジ片（３３，３４）を構成し、
第１のヒンジ片（３３）は、第１のパネル（２，３，４）に接続され、ヒンジ軸（Ｓ）の領域において、駆動輪（３５）に設けられており、
第２のヒンジは、第２のパネル（２，３，４）に接続されており、前記ヒンジ軸（Ｓ）から離れて配置され、駆動輪（３５）に接続された駆動装置（３６）を有することを特徴とする、請求項４に記載のディスプレイ装置。
【請求項６】
該ディスプレイ装置（１）のすべての駆動装置（３１）が互いに連結されていることを特徴とする、請求項５に記載のディスプレイ装置。
【請求項７】
それぞれのパネル（２，３，４）は、光学素子または絵素として前面側にＬＥＤ（２４）が設けられていることを特徴とする、請求項１〜６のいずれかに記載のディスプレイ装置。
【請求項８】
前記パネルの光学素子（２４）は、タイル状のモジュール（２０）でグループ化され、
前記モジュール（２０）は、パネルの側面保持（２１，２２）の中に収容され、モジュール（２０）への給電ラインが前記パネル（２，３，４）内に配置されていることを特徴とする、請求項７に記載のディスプレイ装置。
【請求項９】
前記ハウジング装置（９）は、地面（１１）の底に配置されたパイプ（１０）で構成され、
前記パイプ（１０）は、回転可能に配置されたカバープレート（４０）の一端に配置され、前記スタンド（６）の断面の大きさに一致する開口が設けられ、さらに、前記開口を塞ぐ手段として移動可能なプレート（４１）が設けられることを特徴とする、請求項１〜８のいずれかに記載のディスプレイ装置。
【請求項１０】
ガイド装置（２５）と同様にリフト装置（２８）は、前記パイプ（１０）の中の該ディスプレイ装置への給電ラインのために配置され、
前記リフト装置（２８）および前記ガイド装置（２５）は、該ディスプレイ装置（１）が完全に展開したときであっても、前記パイプ（１０）内に収まるように配置されていることを特徴とする、請求項９に記載のディスプレイ装置。
【請求項１１】
折りたたみ可能なディスプレイ装置（１）を展開する方法であって、
互いに平行に配置され、互いに折りたたみ可能に接続されたいくつかのパネル（２，３，４）から構成され、
投影型スクリーン（７）を形成し、前記投影型スクリーン（７）は回転可能に構成され、
回転可能なパネル（３）は、全体として前記投影型スクリーン（７）の縦軸（Ｌ）に沿って本質的に線形な展開動作が成されるように、パネル（２，４）が展開している間に回転されることを特徴とする方法。
【発明の詳細な説明】
【技術分野】
【０００１】
本発明は、折りたたみ可能なディスプレイ装置に関し、特に互いに移動自在に接続され、平行に配置されたいくつかのパネルを備えるディスプレイ装置に関する。
【背景技術】
【０００２】
例えば、大きなスクリーンを有するディスプレイ装置は、輸送や収容を考慮に入れたパッケージング寸法を得るために、いくつかの要因で構成されている。特許文献１には、セミトレーラー上に折りたたみ可能に油圧によって上昇される移動自在な大きいスクリーンが示されている。３部のスクリーンは、中央部分が局部的に固定されることで、３枚続きの絵画の形式で設計されている。
【０００３】
中央のスクリーンの後部側面においてヒンジが設けられることで、中央のスクリーンの裏側における２つの側面のスクリーン部分の折りたたみを可能にしている。ディスプレイパネルは、黒および白のディスプレイ用のランプマトリックススクリーン基板として設計されている。
【０００４】
特許文献２からは、ディスプレイ装置の要素を接続するために設けられ、開状態においてスライドする動作を利用してヒンジの隙間を減少させるか、完全に塞ぐことを可能とする特別な構成のために設けられるヒンジが知られている。これは、展開したディスプレイ表示装置である。また、同様な効果を有するヒンジが、特許文献３から知られている。
【０００５】
最後に、特許文献４においては、折りたたみ可能なスクリーン、さらに大きなスクリーンの素子を接続し、ロックすることが示されている。また、これらのスクリーンは、経本折りの形式で折りたたまれている（図１１参照）。
【先行技術文献】
【特許文献】
【０００６】
【特許文献１】米国特許４，１１０，７９２号明細書
【特許文献２】国際公開第２００４／１１１８０８号パンフレット
【特許文献３】国際公開第０２／０６３４４９号パンフレット
【特許文献４】国際公開第０２／３３６８５号パンフレット
【発明の概要】
【発明が解決しようとする課題】
【０００７】
先行技術に基づけば、本発明の目的は、局所的に固定された状態を維持するディスプレイ装置を提供することである。
【課題を解決するための手段】
【０００８】
本発明によれば、簡単に折りたたみが可能であるだけではなく、折りたたまれた状態でディスプレイ装置を収容するハウジング装置が設けられているディスプレイ装置が提供される。
【０００９】
経本折りが選択されていることにより、ディスプレイ装置が簡単に折りたためるよう設計されているという利点がある。これにより、ディスプレイ装置は、各パネルを折りたたむことによって投影型スクリーンの中に形成される。これによって、小さな空間において、支柱の中に折りたためられる。したがって、選択された空間において、魅力的かつ建築的に設計された中心柱として置かれる。
【００１０】
外での使用において、この形式は、風のような天気の影響のために小さな接触面積を有することが利点である。
【００１１】
さらに、ハウジング装置の中に降ろされている。発明の改良点は、サブクレームにおいて示される。
【００１２】
ディスプレイ装置は、支柱として設計されたスタンドに載せされられており、かつ、スタンドに載せられた投影型スクリーンは、奇数個のパネルから構成される。そのため、中央のパネルはスタンドに接続されていてもよい。
【００１３】
スタンドは、ハウジング装置の縦軸に対してスライドすることが可能なように、ハウジング装置の中に配置される。移動を開始させるために、それぞれの駆動素子が設けられている。さらに、中央のパネルは、ディスプレイ装置の縦軸を中心に、水平に回転可能に構成されている。回転は、スタンドと中央のパネルとの間の回転装置、または、ハウジング装置とスタンドとの間の回転装置によって行なわれる。
【００１４】
これら上昇および回転の２つの可能な動きによって、一方では、ディスプレイ装置は、収容するためのハウジング装置に降ろされ、他方では、視聴者に順応する。中央のパネルの両隣には、残りのパネルの半数が側面に位置する。そのため、全体として、支持パネルとして中央のパネルを有する経本折りやジグザグ折りが形成される。
【００１５】
互いにパネルを回転するために、パネルの上部および下部にヒンジが設けられ、駆動（回転）素子に、２つのパネルの間において、少なくとも１つのヒンジが設けられる。そのような回転駆動装置は、第１のヒンジ片が駆動輪とともにヒンジ軸の領域に、ヒンジ軸を介して第１のヒンジ片に回転可能に接続された第２のヒンジ片がヒンジ軸から離れた位置に配置された駆動素子を有するように構成されている。
【００１６】
駆動輪および駆動素子は、例えば駆動ベルト、チェーン、歯車、中間に位置するネジ歯車または別の形状のネジ歯車を介して互いに接続される。第１のヒンジ片は、第１のパネルに接続され、第２のヒンジ片は第２のパネルに接続される。
【００１７】
パネルの反対側に配置された第２のヒンジ片は、駆動素子を有する点を除いて類似の構成を有する。駆動素子は、画像表示面の裏側に位置し、これによりパネル内に安全に配置される。
【００１８】
また、光学効果は、駆動素子の一部がパネルの向こうに投影することによって、改良される。さらに、光学効果を改良するために、ヒンジが駆動素子とともにパネルの側面に設けられても良く、駆動装置を完全に覆うケーブルダクトが配置される。
【００１９】
ディスプレイ装置の各パネルのすべての駆動装置が互いに組み合わされるとさらに有利である。このように、すべてのパネルについての連動的な動きおよび同時的な動きが得られるので、光学上魅力的な折りたたみの動きを生じさせる。
【００２０】
この結合は、対応する移動手段によって、機械的に構成されてもよい。または、各駆動素子の動きに対応させることによってもよい。
【００２１】
全体として、ディスプレイ装置を広げる中央のパネルの回転する動きに関して、線形的な展開の動作を得ることがさらに可能である。したがって、中央のパネルの回転駆動装置を含む全ての駆動素子が同様に制御される。
【００２２】
これは、光学的に魅力なだけでなく、例えばディスプレイ装置の近くに障害物が存在しているような、空間的に困難なディスプレイ装置の展開および折りたたみを可能にする。対応する制御によって他の動作パターンも記載可能であるのは当然である。
【００２３】
さらに、光学素子または絵素としてＬＥＤを使用するようにしてもよい。ディスプレイ装置の構成によれば、各パネルとして、それぞれにフリンジ領域が形成されている。ＬＥＤは、ディスプレイ装置が展開しているときに、フリンジ領域が見えないように、これらフリンジ領域に配置される。
【００２４】
また、例えばＬＣＤパネルのような他の既知の光学素子は、ディスプレイ装置のなかに目視可能なフリンジ領域を常に有している。さらに、光学素子がタイル状のモジュールにグループ化される。
【００２５】
パネルは、フレーム素子から構成され、可能な限り全体的な安定性（固有周波数、風など）が良く形成されるようなフレーム構造で組み合わされたアルミニウムで構成されることが好ましい。
【００２６】
パネル内において、対応する保持部材の中に、これらタイル状のモジュールのいくつかが設けられている。モジュールへの給電ラインは、各パネル内に配置されている。パネルは、各モジュールの背面に支持素子としての役割を果たし、したがって、ディスプレイ装置が展開しているときには目視できない。
【００２７】
欠陥の場合には、各モジュールは、簡単に交換されてもよい。また、ディスプレイ装置の組立部品は、タイル状のモジュールの構成によって単純化されている。
【００２８】
特に、標準的または商業的に利用可能なモジュールは、簡単な方法で使用されてもよいし、ディスプレイ装置の製造における様々な局面において、別々に構成要素単位で生産されてもよい。通気口および換気口によって、閉じたフレーム構造において十分に換気することができる。
【００２９】
ハウジング装置は、ディスプレイ装置の軸上の基板を形成する。また、折りたたまれた状態でディスプレイ装置を収容しなければならないので、ディスプレイ装置は、例えば、パイプやあぶられた管状のフレームのように空間を節約した構成に設計されている。
【００３０】
管内においては、ディスプレイ装置が折りたたまれた状態で下ろされ、その後再び展開できるように、ディスプレイ装置のためにリフト装置が配置される。管内においては、例えば信号ケーブルや電源ケーブルのように、ディスプレイ装置に必要な給電ライン用にガイド装置が設けられている。
【００３１】
最後に、流入する水がパイプの中で増加するだけでなく外部に排出する目的を果たすビルジ装置がパイプの底部に設けられている。この目的のために、排水管等のビルジポンプのような既知のビルジ装置が使用されてもよい。
【００３２】
水の流入からハウジング装置を守るために、ハウジング装置は、さらに回転可能なプレートによって上側が塞がれていてもよい。カバープレートに設けられた開口は、この領域におけるスタンドの断面の大きさに一致し、これにより隙間を小さくする。
【００３３】
回転により、カバープレートは、スタンドとともに動く。ディスプレイ装置が降ろされている場合において上方からハウジング装置を塞ぐために、そのようなカバープレートが、単に位置を固定するための４つのヒンジ機構を介してスライドまたは移動する、水平に移動可能なプレートに設けられる。
【００３４】
全体として、ＬＥＤ技術を有する投影型スクリーンが柱状に折りたたまれることによって地面の内部に下げられた大きいスクリーンが形成されているディスプレイ装置が設けられる。
【００３５】
できるだけ出っ張った要素を少なくし、外観より下にすべての給電ラインを配置したことで、折りたたまれた投影型スクリーンと同様に、展開した投影型スクリーンの美観のために、明瞭で正確な外部輪郭を有する魅力的な建築要素が形成されている。
【００３６】
本発明は、図において示された実例によって、下記の記載において、より詳細になっている。
【図面の簡単な説明】
【００３７】
【図１】折りたたみ可能なディスプレイ装置が展開している状態を示す正面図である。
【図２】折りたたまれた状態のディスプレイ装置を示す図である。
【図３】折りたたまれた状態のディスプレイ装置を示す側面図である。
【図４】ディスプレイ装置のハウジング装置を示す断面図である。
【図５】ディスプレイ装置が回転する領域を上部から示す図である。
【図６】ディスプレイ装置が展開しているときの中間の状態を示す図である。
【図７】各パネルを部分的な部材とともに示す図である。
【図８】２つのパネルに間の底部に位置するヒンジを示す図である。
【発明を実施するための形態】
【００３８】
図１は、折りたたみ可能なディスプレイ装置が展開した状態を示す正面図である。ディスプレイ装置１は、互いに平行に配置された７つのパネル２，３，４から構成されており、縦側面において互いに移動可能に接続されている。
【００３９】
図２は、ディスプレイ装置１が折りたたまれた状態を示す図である。ディスプレイ装置１は、中心柱５のような形式で折りたたまれる。外部のパネル４は、中心柱５の前面側を形成し、ディスプレイ側（図において、より太いラインで描かれている。）が正面側を向くように配置される。
【００４０】
図４は、中心柱５を側面から示す図である。ディスプレイ装置１は、さらに、表面８と離れた位置に、投影型スクリーン７を形成するパネル２〜４を配置する目的で備える支柱の形式でスタンド６が設けられており、スタンドはすべての積載物に適応することを目的としている。中央のパネル３は、スタンド６に載せられており、パネル４と同様にパネル２を支持する。
【００４１】
図４において示されるように、中心柱５の中に折りたたまったディスプレイ装置１は、ハウジング装置９の中に降ろされる。ハウジング装置９は、地面１１の内部に下げられた、一端が塞がれたパイプから構成されている。
【００４２】
そして、中心柱５は、地面１１の内部に下げられているときに表面８より下に位置するように、ハウジング装置９によって完全に収容される。中心柱５は、一方ではハウジング９の縦方向においてスライドすることが可能なように、表面のガイドおよび巻物を介して、パイプ１０に囲まれて配置され、他方ではスタンド６において形成されたトルクが支持されるように配置される。
【００４３】
パイプ１０は、乾燥した空間として形成されている。さらに、パイプ１０は、上側においてカバーによって閉じられており、底側においてビルジポンプ２７が設けられている。そのカバーは、スタンド６の断面と大きさが一致する開口を備えた、回転可能なカバープレート４０から構成されている。
【００４４】
カバープレート４０には、ディスプレイ装置１が降ろされているときに上方を密閉可能なパイプ１０を覆うために、水平にスライドする２つのプレート４１が設けられている。スタンド６のための電動式リフト装置は、チェーンドライブ装置として形成されている。
【００４５】
パイプ１０の内壁に設けられた、モータ２８に取り付けられたネジ歯車２８は、スタンド６に強固に接続されたチェーン２９を駆動する。表面８の下において、ディスプレイ装置１は、支持玉軸受けに回転可能にはめ込まれ、電動式回転駆動装置１２によって回転可能にはめ込まれている。このように、スタンド６および投影型スクリーン７は、見る人に対して、広範囲にわたって適応する。
【００４６】
図５は、±１３５度の角度範囲内で投影型スクリーン７が回転可能な領域を上部から示す図である。回転駆動装置１２は、投影型スクリーン７が小型に展開するために使用される。図６は、投影型スクリーン７が展開しているときの中間の状態を、上部から示す図である。
【００４７】
この実例において、パネル２〜４それぞれの接続によって、ジグザグや経本折りで折りたたまれていることがわかる。投影型スクリーン７の展開中に、回転装置１２は、スタンド６を回転し、さらに、その上に接続された中央のパネル３を回転する。さらに、パネル２，４は、投影型スクリーンが縦軸Ｌに沿って全体的に展開するように回転される。
【００４８】
投影型スクリーン７の折りたたみは、同様の方法で実現される。投影型スクリーン７が、このように中心柱５のなかに折りたたまれた後、回転装置１２は、スタンド６をさらに９０度回転させなければならない。その結果、外部のパネル４は、再び（太線によって示された）画像表示側を視聴者に向ける。ここで、中心柱５における外部のパネル４は、時間、気圧データまたは自記気圧データ、温度、広告等のような現在の情報を表示するために使用されてもよい。
【００４９】
図７は、各パネル２を正面から示す図である。パネル２の前面側は、５つのタイル状のディスプレイモジュール２０から構成される。後部側においては、仕切部材２２を備えた周状のフレーム構造２１で構成される支持構造が設けられ、さらに補強素子が設けられている。
【００５０】
フレーム構造２１の要素は、仕切部材２２と同様に中空のアルミニウム構造からなり、プラスチック素材からなる、対応する接続部分によって組み立てられる。モジュール２０は、フレーム２１または仕切部材それぞれに載せられる。次に、モジュール２０は、より小さなディスプレイモジュールから構成されていもよく、実施例においては光学素子としてＬＥＤ２４が装着されている。
【００５１】
パネルの画像表示側は、５つのモジュール２０で構成され、それぞれ９つのＬＥＤのタイル（ＬＥＤ−ＩＭ）で構成される。そのタイルは、プレート上にネジで留められ、このように電子制御によってモジュール２０を形成する。そして、モジュール２０は、フレーム２１とともにネジで留められる。
【００５２】
モジュール２０の背面の空間は、給電ラインを配置することと同様に電源およびビデオプロセッサを収容するための十分な空間を有している。そして、パネル２〜４の底部においてケーブルダクト２３の中で組み合わせられる。
【００５３】
パネル２〜４それぞれのケーブルダクト２３は、全体としてスタンド６へのケーブル入力を形成する。スタンド６内では、給電ラインは、できる限り回転から守られるように、これらがディスプレイ装置の回転する動きに連動するように、ケーブルダクト（詳細な説明はしない）を通ってパイプ１０の中に導かれる。
【００５４】
ケーブルキャリアチェーン２５は、パイプ１０の中に位置する端子箱２６に給電ラインを導く。ケーブルキャリアチェーン２５は、給電ラインが安全に配置され、導かれるように、スタンド６およびパイプ１０に強固に接続され、パイプ１０の中に広がる。
【００５５】
後部側においては、パネル２は、フレーム２１に載せられたカバーによって塞がれ、そこには通気口および換気口が導入されている。投影型スクリーン７は、全体で７つのパネル２〜４で構成されており、１８０度動くヒンジを利用して互いに接続されている。それぞれのヒンジ３０は、開き角度１８０度を有し、ドアのヒンジと同様に構成されている。ヒンジ３０内においては、投影型スクリーン７を折りたたむときに、安全に動作する高精度なボールベアリングにおいて負荷および回転動作が受けられる。
【００５６】
１つのヒンジ３０は、パネル２〜４それぞれの上部および下部に設けられ、このようにパネル２〜４の正確な動きを可能にする。さらに、フレーム構造２１それぞれの中心は、固定のために設けられているピンが中心に集めて設けられ、パネル２〜４を互いに位置決めすることによって支持される。
【００５７】
図８は、２つのパネル２０の間の底部に設けられたヒンジ３０を示す図であり、駆動素子３１は、駆動ベルトを介して、折りたたみ、または、回転する。それぞれのヒンジは、ヒンジ軸Ｓに沿って互いに接続された２つのヒンジ片３３，３４を有する。
【００５８】
ヒンジ軸Ｓは、パネル２の表面上でわずかに支えられるように配置される。例において示される表面は、モジュール２０と約１ｍｍ上部のヒンジ軸Ｓよって形成されている。そのため、折りたたまれた状態において、約２ｍｍの隙間が形成され、これによりヒンジ軸Ｓとパネル２との間の距離がパネル２それぞれの間の距離を決定する。
【００５９】
それは、中心柱５内の隙間の形成を防ぐためにできる限り小さいほうが好ましいが、反対に、投影型スクリーン７が折りたたまれた状態においてパネル２，３の前面側のＬＥＤと接触するのを防ぐために十分に大きいことが好ましい。
【００６０】
図８において右のパネル２０に取り付けられた第１のヒンジ片３３は、駆動装置３５を有し、ここでは駆動ベルト３２の歯車を有する。反対に、図８によれば、実施例において左のパネル２０に取り付けられている第２のヒンジ片３４は、駆動輪３６とともにヒンジ軸Ｓに設けられ、駆動ベルト３２によって包まれる。
【００６１】
第１のヒンジ片３３に取り付けられた２つの遊び滑車３７は、駆動輪３６において、駆動ベルト３２に大きな巻き付き角度を与える。
【００６２】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【符号の説明】
【００６３】
１  ディスプレイ装置
２〜４  パネル
５  中心柱
６  スタンド
７  投影型スクリーン
８  表面
９  ハウジング装置
１０  パイプ
１１  地面
１２  電動式回転駆動装置
２０  ディスプレイモジュール
２１  フレーム構造
２２  仕切部材
２３  ケーブルダクト
２４  ＬＥＤ
２５  ケーブルキャリアチェーン
２６  端子箱
２７  ビルジポンプ
２８  駆動モータに取り付けられたネジ歯車
２９  チェーン
３０  ヒンジ
３１  駆動素子
３２  駆動ベルト
３３  第１のヒンジ片
３４  第２のヒンジ片
３５  駆動装置
３６  駆動輪
３７  遊び滑車
４０  カバープレート
４１  プレート
Ｌ  縦軸
Ｓ  ヒンジ軸
【図１】
2012530268.tif 000003
【図２】
2012530268.tif 000004
【図３】
2012530268.tif 000005
【図４】
2012530268.tif 000006
【図５】
2012530268.tif 000007
【図６】
2012530268.tif 000008
【図７】
2012530268.tif 000009
【図８】
2012530268.tif 000010
【手続補正書】
【提出日】平成23年2月11日(2011.2.11)
【手続補正１】
【補正対象書類名】特許請求の範囲
【補正対象項目名】全文
【補正方法】変更
【補正の内容】
【特許請求の範囲】
【請求項１】
折りたたみ可能なディスプレイ装置（１）であって、
互いに平行に配置され、互いに移動可能に接続されたいくつかのパネル（２，３，４）から構成され、
接続要素（３０）は、全体として経本折りで形成されるように配置され、
地面の内部に下げられた状態で、上部を密閉可能となっており、折りたたまれた状態（５）の該ディスプレイ装置（１）を完全に収容するハウジング装置（９）が設けられていることを特徴とするディスプレイ装置。
【請求項２】
該ディスプレイ装置（１）は、
スタンド（６）上に配置され、
中央のパネル（３）が前記スタンド（６）に接続された、奇数個のパネル（２，３，４）が設けられていることを特徴とする、請求項１に記載のディスプレイ装置。
【請求項３】
前記ハウジング装置（９）内のスタンド（６）は、
一方では前記ハウジング装置（９）の縦方向にスライドすることが可能に配置され、他方では前記中央のパネル（３）の縦軸を中心に回転可能に設けられており、
両方の動きのために、それぞれについて１つの駆動素子（２８，１２）が設けられていることを特徴とする請求項２に記載のディスプレイ装置。
【請求項４】
パネル（２，３，４）の上部および下部にヒンジ（３０）が接続素子として設けられ、
前記ヒンジは、２つのパネル（２，３，４）を互いに移動可能に接続し、
少なくとも１つのヒンジ（３０）において、駆動素子に設けられていることを特徴とする、請求項３に記載のディスプレイ装置。
【請求項５】
駆動ヒンジ（３０）は２つのヒンジ片（３３，３４）を構成し、
第１のヒンジ片（３３）は、第１のパネル（２，３，４）に接続され、ヒンジ軸（Ｓ）の領域において、駆動輪（３５）に設けられており、
第２のヒンジは、第２のパネル（２，３，４）に接続されており、前記ヒンジ軸（Ｓ）から離れて配置され、駆動輪（３５）に接続された駆動装置（３６）を有することを特徴とする、請求項４に記載のディスプレイ装置。
【請求項６】
該ディスプレイ装置（１）のすべての駆動装置（３１）が互いに連結されていることを特徴とする、請求項５に記載のディスプレイ装置。
【請求項７】
それぞれのパネル（２，３，４）は、光学素子または絵素として前面側にＬＥＤ（２４）が設けられていることを特徴とする、請求項１〜６のいずれかに記載のディスプレイ装置。
【請求項８】
前記パネルの光学素子（２４）は、タイル状のモジュール（２０）でグループ化され、
前記モジュール（２０）それぞれは、パネルの側面保持（２１，２２）の中に収容され、モジュール（２０）への給電ラインが前記パネル（２，３，４）内に配置されていることを特徴とする、請求項７に記載のディスプレイ装置。
【請求項９】
前記ハウジング装置（９）は、地面（１１）の底に配置されたパイプ（１０）で構成され、
前記パイプ（１０）は、回転可能に配置されたカバープレート（４０）の一端に配置され、前記スタンド（６）の断面の大きさに一致する開口が設けられ、さらに、前記開口を塞ぐ手段として移動可能なプレート（４１）が設けられることを特徴とする、請求項１〜８のいずれかに記載のディスプレイ装置。
【請求項１０】
ガイド装置（２５）と同様にリフト装置（２８）は、前記パイプ（１０）の中の該ディスプレイ装置への給電ラインのために配置され、
前記リフト装置（１８）および前記ガイド装置（２５）は、該ディスプレイ装置（１）が完全に展開したときであっても、前記パイプ（１０）内に収まるように配置されていることを特徴とする、請求項９に記載のディスプレイ装置。
【請求項１１】
折りたたみ可能なディスプレイ装置（１）を展開する方法であって、
互いに平行に配置され、互いに折りたたみ可能に接続されたいくつかのパネル（２，３，４）から構成され、
投影型スクリーン（７）を形成し、前記投影型スクリーン（７）は回転可能に構成され、
回転可能なパネル（３）は、全体として前記投影型スクリーン（７）の縦軸（Ｌ）に沿って本質的に線形な展開動作が成されるように、パネル（２，４）が展開している間に回転されることを特徴とする方法。
【国際調査報告】
2012530268.tif 000011
2012530268.tif 000012
2012530268.tif 000013
2012530268.tif 000014